(57)【要約】【課題】  ９０度に開く室内片開きドアを開けた際、ドアの開放状態を確実に保つことができるドアストッパーを提供する。【解決手段】  三角柱体から成る固定部と横断面がひし形から成る挿入部、固定部と挿入部を貫通する引き紐から構成され、室内片開きドアを開いた際、挿入部をドアとドア枠との隙間にある蝶番の上端に挿入し、引き紐を引っ張ることにより、挿入部を隙間幅より広く変形させて楔を確実にし、又固定部によってドアの動きを妨げることで、ドアの開放状態が保てることを特徴とするドアストッパー。【選択図】図１
2007198103.tif 000002
【特許請求の範囲】
【請求項１】
三角柱体から成る固定部と横断面がひし形から成る挿入部、固定部と挿入部を貫通する引き紐から構成され、室内片開きドアを開いた際、挿入部をドアとドア枠との隙間にある蝶番の上端に挿入し、引き紐を引っ張ることにより挿入部を隙間幅より広く変形させて楔を確実にし、又固定部によってドアの動きを妨げることで、ドアの開放状態が保てることを特徴とするドアストッパー。
【発明の詳細な説明】
【技術分野】
【０００１】  本発明は、９０度に開く室内片開きドアを開けた際、ドアの開放状態を確実に保つことができるドアストッパーに関するものである。
【背景技術】
【０００２】  従来、ドアストッパーは一般的に扉と床との間の隙間、又はドアとドア枠との間にできる隙間で楔型の物を挿み込んで摩擦によりドアの開放状態を保つものであった。
いずれも固定形状の物を挿み込むものであり、ドアの閉まる力によって押し出されて外れたり、ドアの閉まる力に負けて滑ってしまったりしてストッパーの機能を発揮しないという問題があった。【０００３】  そのため、楔型に掛け止めできる形状を付加した技術がある。すなわち、床面とドア下縁との隙間に介在させたときにドア下縁に圧接する傾斜面を有して、ドアを開放状態に維持するための楔部と、ドアの蝶番に掛止することが可能なフック部と、このフック部を前記蝶番に掛止したときにドア側面とドア枠との間に介在され、ドアを所定角度以上の開放状態に維持するための蝶番用挟持部とを一体に備えたことを特徴とするドアストッパーである。（特許文献１）
【特許文献１】  特開２００２−１２１９５４号公報
【発明の開示】
【発明が解決しようとする課題】  上記従来例では次のような問題点があった【０００４】  床に置いて使用する時は、足で蹴って外れたり、乳幼児やペットが外して遊んでしまったりすることがあった。【０００５】  蝶番用挟持部を使用する時は、蝶番に掛止するフック部が浅いため、ドアが閉まろうとする力で押し出されたり、又フック部と楔部の重量の差が大きいため、バランスを崩して落下したり、外れてしまったりすることがあった。【０００６】  上記により、ドアストッパーの機能を発揮しないことがあり、窓の開閉等による通風が起こった際、ドアが勢いよく閉まり、乳幼児がドアに指を挟んだりする等の危険性があった。又ドアが風等で勢いよく閉まる際に大きな音が起こり、不快であった。
本発明は、これらの問題点を解決するためになされたものである。
【課題を解決するための手段】
【０００７】  本発明は上記課題を解決するために、ドアの開放状態を確実に保つことを目的として、室内片開きドアが開いた際、吊り元のドアとドア枠との隙間にある蝶番の上端に本発明の一部を挿入し、その後挿入した部分の形状を隙間幅より広く変化させることで楔を確実にし、外れや抜け落ちることが無く、更に固定部によってドアが閉まろうとする動きが妨げられ、ドアの開放状態を保てることを特徴とする。
【発明の効果】
【０００８】  本発明は、大人が立ったままの姿勢で操作できる高さの位置にある蝶番の上端で機能するため、足で蹴って外れたり、乳幼児やペットが遊んで外してしまったりすることは無い。【０００９】  本発明は、大きく分けて固定部と挿入部に分かれる構成によって成り、室内片開きドアが開いた際、吊り元のドアとドア枠との隙間に本発明の挿入部を挿入し、引き紐を引っ張ることにより、挿入した部分の形状を隙間幅より広く変化させて楔を確実にすることで抜けることが無い。また、蝶番の上端に載せた状態で機能するため、落下することが無い。更に固定部によってドアが閉まろうとする動きが妨げられ、ドアの開放状態が保たれる。【００１０】  上記の効果によって、通風が起こった際でもドアが勢いよく閉まるような事は無く、ドアで指をはさむ事故を防ぐことができ安全である。又ドアが風等で勢いよく閉まる際の不快で大きな音を防げる。
【発明を実施するための最良の形態】  以下、本発明の実施の形態について説明する。【００１１】      イ）本発明は図１の外観斜視図で示すように、大きく分けて固定部（Ａ）と挿入部          （Ｂ）、固定部（Ａ）と挿入部（Ｂ）を貫通する引き紐（２）から構成される
ロ）固定部（Ａ）は、三角柱体からなる基台（５）の一側面と対向する角を、底面          と平行且つ三角柱体の高さを２分する位置に孔（１）が貫く。
ハ）挿入部（Ｂ）は対向するように山折れ線（７）を設け、山折れ線（７）より前          方を前傾斜板（８）、後方を後傾斜板（６）とする。
ニ）挿入部（Ｂ）の対向する前傾斜板（８）は頂点（９）で接合し、対向する後傾          斜板（６）は固定部（Ａ）の孔（１）のある角に接合する。よって挿入部（Ｂ          ）の横断面はひし形となり、内部は空洞部（１０）を有する。
ホ）挿入部（Ｂ）の高さを２分する位置で頂点（９）上に貫通穴（１１）を設ける          。
ヘ）固定部（Ａ）の孔（１）と挿入部（Ｂ）の貫通穴（１１）は引き紐（２）が通          り抜ける。
ト）引き紐（２）は貫通穴（１１）を通った先の頂点（９）側に抜け止め（３）を          有し、孔（１）を通り抜けた基台（５）の一側面部にストッパー（４）とその          延長上に抜け止め（３）を有する。
本発明は以上の構成より成っている。【００１２】      チ）本発明を使用する時は、まずストッパー（４）を緩め、挿入部（Ｂ）の山折れ          線（７）の折れを浅くして、山折れ線（７）を結ぶ対角線長が、隙間（１５）          の幅より短くなるように伸縮させ、挿入部（Ｂ）が隙間（１５）に挿み込める          形状にする。
リ）挿入部（Ｂ）を蝶番（１４）の上端にある隙間（１５）に挿み込んだ後、引き          紐（２）を引っ張り、山折れ線（７）の折りを深くしていく。
ヌ）挿入部（Ｂ）の山折れ線（７）を結ぶ対角線長が、隙間（１５）の幅より長く          なり、楔が確実になったことを確認したらストッパー（４）を留める。
ル）固定部（Ａ）がドア（１３）とドア枠（１２）の間に挟まり、ドア（１２）の          動きを妨げることで、ドア（１２）の開放状態が保てる。
【図面の簡単な説明】
【００１３】
【図１】本発明の外観斜視図
【図２】本発明の横断面図
【図３】本発明の使用状態を示す斜視図
【図４】本発明の使用状態の横断面図
【符号の説明】
【００１４】    Ａ．固定部
Ｂ．挿入部
１．孔
２．引き紐
３．抜け止め
４．ストッパー
５．基台
６．後傾斜板
７．山折れ線
８．前傾斜板
９．頂点
１０．空洞部
１１．貫通穴
１２．ドア枠
１３．ドア
１４．蝶番
１５．隙間
【図１】
2007198103.tif 000003
【図２】
2007198103.tif 000004
【図３】
2007198103.tif 000005
【図４】
2007198103.tif 000006